(57)【要約】【課題】レーザを用いて記録密度や記録速度を増すための等の理由により、高出力のレーザを用いる場合に、第１及び第２の記録層に影響を及ぼすことがある。本発明は、高出力レーザを用いても、他の層を破壊することを防止できる光ディスクに関する。【解決手段】情報を記録する第１の記録層と、可視像を記録可能な第２の記録層を光ディスク上において、少なくとも０．５ｍｍ以上の間隔をおいて配置することで、高出力レーザを用いても、他の層のデータを破壊することはない。【選択図】図４
2006059432.tif 000002
【特許請求の範囲】
【請求項１】
デジタル情報を記録する第１の記録層、及び可視画像を表示可能な第２の記録層を有し、前記第１及び第２の記録層は共に光の照射にてデータの記録或いは画像の表示をする光ディスクであって、第１の記録層と第２の記録層は厚み方向に少なくとも少なくとも０．５ｍｍ以上間隔が離れていることを特徴とする光ディスク。
【請求項２】
第１の記録層と第２の記録層は、光ディスクの厚みの半分以上離れていることを特徴とする請求項１記載の光ディスク。
【請求項３】
第２の記録層は、波長が４８０ｎｍ以下の光で記録可能なことを特徴とする請求項１記載の光ディスク。
【請求項４】
第１の記録層は、略赤色以上或いは略青色以下の波長の光で記録可能であることを特徴とする請求項１記載の光ディスク。
【発明の詳細な説明】
【技術分野】
【０００１】
本発明は、パーソナルコンピュータ等の据え置き型電子機器やノートブックパソコン、携帯型情報端末機器、携帯型映像装置等の携帯型電子機器や映像録画用のレコーダーに好適に用いられる光ディスクにおいて、光ディスクのラベル面に視認可能な文字や画像を記録することが可能な光ディスクに関するものである。
【背景技術】
【０００２】
光ディスク装置は、光ディスクの記録容量が大容量であることと、光ディスクの取扱いが容易なことから、コンピュータ分野や映像音響機器分野でデータ再生装置として、広く普及してきた。近年、普及した光ディスク再生装置のインフラを背景にＣＤ−Ｒ／ＲＷやＤＶＤ−ＲＡＭ、ＤＶＤ−Ｒ／ＲＷ、ＤＶＤ＋Ｒ／ＲＷなど、映像や音楽などの各種データを光ディスクに記録可能な記録型光ディスク、および記録型光ディスク装置の普及が著しい。これらの記録型光ディスク装置では、光ディスク面内に形成された記録面にレーザ光を照射することで映像や音楽などを記録している。
【０００３】
上記のように記録型光ディスク、および装置が急激に増加してくる中で、光ディスクのデータ記録面に記録されている内容を視認可能な文字や画像として光ディスクに付与する方法が、いくつか商品形態として提案されている。ひとつは従来のプリンタ装置を使用するもので、光ディスクのデータ記録面の反対側にラベル面を設け、インクジェットなどのプリンタヘッドで直接印字するものや、一旦、シート状のラベルにプリンタによって印字した後、光ディスクの形に合わせて切り取り、光ディスクのラベル面に貼付するものなどがある（図１参照）。
【０００４】
また一方では、光ディスク装置に搭載されるレーザを利用して光ディスクに可視画像を記録するものもあり、光ディスクのデータ記録層での記録部と非記録部での反射率差を利用したものや（図２参照）、従来の光ディスクのラベル面に感光層、感熱層、もしくは感光・感熱特性を持つシートなどをラベル面に貼付し、レーザにて可視画像を記録するものが提案されている。
【０００５】
上記先行例としては、（特許文献１）（特許文献２）（特許文献３）などがある。
【特許文献１】特開２００３−１６６５０号公報
【特許文献２】特開２００３−２０３３４８号公報
【特許文献３】特開２００２−２５２２２号公報
【発明の開示】
【発明が解決しようとする課題】
【０００６】
しかしながら、前記従来の構成では、実質的に情報の記録を行う第１の記録層と、可視像などを形成する第２の記録層は、非常に近接して設けられており、その結果、赤色レーザや青色レーザの様な短波長レーザを用いて記録密度や記録速度を増すための等の理由により、高出力のレーザを用いる場合に、第１及び第２の記録層に影響を及ぼすことがある。即ち、短波長のレーザを高出力で放出して、第２の記録層に可視像を形成している時に、第１の記録層の情報を破壊することが考えられる。
【０００７】
本発明は、前記従来の課題を解決して、高出力のレーザを用いても、情報の破壊や可視像の破壊を防止できる光ディスクを提供することを目的としている。
【課題を解決するための手段】
【０００８】
上記課題を解決するため、デジタル情報を記録する第１の記録層、及び可視画像を表示可能な第２の記録層を有し、第１及び第２の記録層は共に光の照射にてデータの記録或いは画像の表示をする光ディスクであって、第１の記録層と第２の記録層は厚み方向に少なくとも少なくとも０．５ｍｍ以上間隔を離した。
【発明の効果】
【０００９】
以上説明したように本発明によれば、情報を記録する第１の記録層と、可視像を記録する第２の記録層を所定の間隔を空けて設けたことによって、高出力のレーザで第１又は第２の記録層にデータや画像などを記録しても、他方の記録層に悪影響を与えることを低減させることができる。
【発明を実施するための最良の形態】
【００１０】
請求項１記載の発明は、デジタル情報を記録する第１の記録層、及び可視画像を表示可能な第２の記録層を有し、前記第１及び第２の記録層は共に光の照射にてデータの記録或いは画像の表示をする光ディスクであって、第１の記録層と第２の記録層は厚み方向に少なくとも少なくとも０．５ｍｍ以上間隔が離れていることを特徴とする光ディスクであり、高出力のレーザで記録もしくは画像の形成を行っても、他方の記録層への影響を低減できる。
【００１１】
請求項２記載の発明は、第１の記録層と第２の記録層は、光ディスクの厚みの半分以上離れていることを特徴とする請求項１記載の光ディスクとすることで、確実に他の記録層への影響を低減させることができる。
【００１２】
請求項３第２の記録層は、波長が４８０ｎｍ以下の光で記録可能なことを特徴とする請求項１記載の光ディスクであり、ブルーレーザでの画像記録を行うことができる。
【００１３】
請求項４記載の発明は、第１の記録層は、略赤色以上或いは略青色以下の波長の光で記録可能であることを特徴とする請求項１記載の光ディスクであり、他は短波長対応の光ピックアップを搭載した光ディスク装置に適応できる。
【００１４】
（実施の形態１）
以下、本発明の実施の形態１の光ディスク装置について、図面を参照にしながら説明する。図３は本発明の一実施の形態における光ディスク概観図及び部分断面図、図４は本発明の一実施の形態における各種規格における光ディスク略断面図、図５は本発明の一実施の形態における光ディスク装置概観図、図６は本発明の一実施の形態における光ピックアップ平面図、図７は本発明の一実施の形態における光ピックアップのアクチュエータ部概観図、図８は本発明の一実施の形態における光ディスク装置のブロック図、図９は本発明の一実施の形態における光ディスク装置の略断面図である。
【００１５】
図３は光ディスク１の一例とその一部分の簡易的な部分断面図を示す。部分断面図において、光ディスク１はポリカーボネートなどの樹脂等で構成された基板２、グルーブ（案内溝）３形状を有し、特定の波長に反応して相変化や溶融などで反射率が変化するような可逆的であったり、あるいはデータの書き換えが行えない非可逆的なデータ記録層４（第１の記録部）、レーザ照射時の熱を効率よく周囲に伝導放熱する放熱層５、ラベル面からのレーザ照射により、ある特定の波長に反応、発色するラベル（感光・感熱）層６（第２の記録部）、またそのラベル層６を保護するラベル面カバー層７とを有する。また、ラベル層６としては、いちどだけ画像を形成できる非可逆的なライトワンスのものを用いることができたり、あるいは、第１の温度（波長）で画像を形成し、第１の温度（波長）とは異なる第２の温度（波長）で形成した画像を消去できるような可逆的なもの等を用いることができる。尚、各層の構成は模式的なもので、各層の厚みなどはこの図に示される通り
ではない。また本実施の形態では、光ディスクの中でも最も多く市販されている記録型ＣＤディスクの例を取り上げており、記録型ＤＶＤディスクなどは層構成などが異なることになる。
【００１６】
光ディスク１は光ディスク装置に装着した後、所望のデジタルデータを記録するが、本発明の実施の形態で説明する光ディスク装置では、データ記録した後、光ディスク１を表裏反対に光ディスク装置に装着し、光ディスク装置の光ピックアップに搭載されるレーザダイオードから射出されるレーザ光にて光ディスク１のラベル面（記録面の反対側）に視認可能な文字や画像を記録することができる。まずは各種光ディスク規格毎の光ディスク１の構成などについて説明し、光ディスク装置、および光ピックアップの詳細については後述する。
【００１７】
図４は各種の光ディスク規格に対応した本発明のラベル記録可能な光ディスク１を示すもので、それぞれの物理規格別にデータ記録時、ラベル記録時に分けて、データ記録層とラベル記録層の相対的な略配置を示す。ここでは、現在データ記録が可能な１２ｃｍ径の光ディスクで市場に存在するＣＤ、ＤＶＤ、短波長対応光ディスク（波長が青色の波長よりも短波長の光で情報の記録再生の少なくとも一方を行うことができる光ディスク）（以下、短波長対応光ディスクと称す）などを例として取り上げている。それぞれ、（ａ）はＣＤ規格、（ｂ）はＤＶＤ規格、（ｃ）は短波長対応光ディスク規格についてデータ記録層とラベル記録層の位置関係を示している。
【００１８】
（ａ）のＣＤ規格ディスク１ａでは、図３にも示すように対物レンズ８から射出されたレーザ光は、ポリカーボネート基板２を通過して、対物レンズ８に対して一番奥に位置するデータ記録層４ａで合焦点し、データを記録する。そのデータ記録層４ａより奥、つまり反対のラベル面側から見れば、表層に近いところに視認可能な文字や画像を記録するラベル層６ａが配置される。本発明でのラベル記録時には表層付近に合焦点が設定されているレーザ光、すなわち青色の波長よりも短い波長を有するレーザ光にて所望の文字や画像を記録するが、この場合には、データ記録層４ａとラベル層６ａは非常に近接しており、レーザ光の出力を上げると、他の層への影響を与える可能性があり、（ａ）の場合は、従来の光ディスクに相当する。
【００１９】
（ｂ）のＤＶＤ規格ディスク１ｂは、０.６ｍｍ厚の基板２枚を貼り合わせて１.２ｍｍ厚の光ディスクを作成する。そこでデータ記録層４ｂは、ＤＶＤ規格ディスク１ｂ表面から０.６ｍｍ深さのところに配置される。本実施の形態でのラベル層６ｂは前記ラベル層６ａ同様、ラベル面側から見て表層に近いところに配置されることになる。本発明でのラベル記録時には表層付近に合焦点が設定されているレーザ光、すなわち本実施の形態では青色の波長よりも短い波長を有するレーザ光にて所望の文字や画像を記録する。この場合、データ記録層４ｂとラベル層６ｂは光ディスクの厚みの半分程度、即ち、０．５ｍｍ〜０．６ｍｍ程度離しており、レーザ出力を大きくしても他の層に影響を及ぼすことはない。なお、本実施の形態では、光ディスクの厚み方向における中央部分にデータ記録層４ｂを設け、表面近くにラベル層６ｂを配置している。また、この実施の形態の場合において、光ディスクの厚み方向の中央部分にラベル層６ｂやデータ記録層４ｂを配置することも可能であるが、高速記録の際や高密度記録の際に、レーザ出力を高くすることも考えられるが、この様な構成では、例えばラベル層６ｂに可視画像を形成している際にデータ記録層４ｂのデータを破壊してしまう可能性があるので、上述の様に、ラベル層６ｂとデータ記録層４ｂを所定の間隔を設けて配置するという簡単な構成で、他の層のデータ破壊などを防止できる。
【００２０】
（ｃ）の短波長対応光ディスク１ｃは、データ記録層４ｃがディスク表層から概ね０.１ｍｍの付近に配置されている。本実施の形態でのラベル層６ｃは表裏反対側のラベル面
から見て表層に近いところに配置されることになる。本発明でのラベル記録時には表層付近に合焦点が設定されているレーザ光、すなわち本実施の形態では青色の波長よりも短い波長を有するレーザ光にて所望の文字や画像を記録する。この場合、データ記録層４ｂとラベル層６ｂは光ディスクの厚み分程度、即ち、０．８ｍｍ〜１．１ｍｍ程度離しており、レーザ出力を大きくしても他の層に影響を及ぼすことはない。なお、本実施の形態では、光ディスクの一方の主面側の表面近くににデータ記録層４ｂを設け、他の主面側の表面近くにラベル層６ｂを配置している。また、この実施の形態の場合において、光ディスクの一方の主面の表層側にラベル層６ｂやデータ記録層４ｂを配置することも可能であるが、高速記録の際や高密度記録の際に、レーザ出力を高くすることも考えられるが、この様な構成では、例えばラベル層６ｂに可視画像を形成している際にデータ記録層４ｂのデータを破壊してしまう可能性があるので、上述の様に、ラベル層６ｂとデータ記録層４ｂを所定の間隔を設けて配置するという簡単な構成で、他の層のデータ破壊などを防止できる。
【００２１】
ここで、ＣＤ規格ディスク１ａ、ＤＶＤ規格ディスク１ｂ、短波長対応光ディスク１ｃのラベル層６を配する位置は、ラベル面表面から概ね０.１ｍｍの深さ（略光ディスク１の表層付近）のところに配置するのが好ましい。つまり、表層付近に配される短波長対応光ディスク１ｃのデータ記録層４ｃと同じ深さに配することで、従来の光ピックアップに対して特別な改造なども不要となり、容易に短波長対応光ディスクデータ記録用の光ピックアップでＣＤ規格ディスク１ａ、ＤＶＤ規格ディスク１ｂ、短波長対応光ディスク１ｃとも視認可能な文字や画像をラベル層に記録することができる。つまり短波長対応光ディスク１ｃと同じ位置にラベル層６を配置すれば、全ての規格に対して短波長対応光ディスク１ｃ用の光学系を活用することで、容易にラベル記録が可能となる。
【００２２】
ここでデータ記録層は、１回書込み型（ライトワンス）光ディスクのデータ記録層４には、シアニン、フタロシアニン、アゾなどのレーザ光に反応する染料（色素）が使用され、書換型の光ディスクのデータ記録層４には、Ｇｅ−Ｓｂ−Ｔｅ系や共晶系などの相変化材料などで構成され、ラベル層６は、データ記録層４と同じような材料を使うことも考えられるが、コントラストを十分に確保することができないため、ロイコ系など加熱によって発色するような感熱材料などで構成することが考えられる。
【００２３】
図４において、１１は光ディスク装置、１２はトレイ、１３は光ピックアップ１４やトラバースモータ１５、スピンドルモータ１６を搭載したピックアップモジュール（以下、ＰＵＭと称す）である。
【００２４】
通常のデータ記録する際には、光ディスク装置１１からトレイ１２を引き出した後、光ディスク１のデータ記録面４と光ピックアップ１４が対向するように光ディスク１をスピンドルモータ１６のチャッキング部（図示しない）に装着する。次にトレイ１２を光ディスク装置１１の中に収納した後、光ディスク１はスピンドルモータ１６によって回転制御（矢印Ａの方向）され、光ピックアップ１４は、トラバースモータ１５によって、光ディスクの径方向（矢印Ｂの方向）に制御される。前記光ディスク１に対して情報を記録するときには、グルーブ３（図３参照）に沿ってレーザ光を照射することになる。したがって、情報を記録する時には光ディスク１のポリカーボネート基板２の面を光ピックアップ１４が照射するレーザ光を上記グルーブ１１に沿って移動させることにより情報記録が行われる。
【００２５】
一方、当該光ディスク１のラベル層６の面上に可視画像を形成する場合には、ラベル面カバー層７側の面が光ディスク装置１１の光ピックアップ１４と対向するように光ディスク１をスピンドルモータ１６のチャッキング部１７（図６参照）にセットする。そして、スピンドルモータ１６とトラバースモータ１５によって光ディスク１と光ピックアップ１
４を制御することで、可視画像に対応させてラベル層６にレーザ光を照射することにより、ラベル層６に所望の可視画像を形成する。
【００２６】
図６において、１６は光ディスク１を回転するためのスピンドルモータで光ディスク１を保持するチャッキング部１７が設けられている。スピンドルモータ１６は光ディスク１を角速度一定で回転させたり或いは角速度を可変的に回転させる。尚、本実施の形態では、光ディスク１の回転駆動手段としてスピンドルモータ１６を用いたが、他の種類のモータや他のアクチュエータを用いて回転駆動させても構わない。
【００２７】
１４は光ディスク１にレーザ光を照射することでデジタル情報を光ディスク１に記録、及び光ディスク１から情報を読み取るための光ピックアップである。１８は光ピックアップ１４のベースとなるキャリッジ、１９は対物レンズ８を略三次元的に移動させる光ピックアップアクチュエータである。キャリッジ１８は少なくとも支持シャフト２０とガイドシャフト２１で支持されており、光ディスク１の内周と外周との間を移動可能となっている。またキャリッジ１８は、光ピックアップアクチュエータ１９と光学部、或いは光源（レーザダイオード）を搭載している。
【００２８】
２２は青紫色のレーザ部２２ｂ、及び受光素子２２ａ、及び前光モニター部２２ｃを備えた光集積素子（短波長対応光ディスク用）で、レーザ部２２ｂは略４０５ｎｍの波長のレーザ光を発生するレーザダイオードを有している。尚、本実施の形態では、青紫色の光を出射するレーザダイオードを用いたが、この他にも青色〜紫色の光を出射するレーザダイオードを用いても良い。尚、この様な短波長のレーザ光を出射するレーザダイオードとしては、ＧａＮにＩｎなどの発光中心を添加した活性層をＧａＮを主成分としｐ型不純物をドープしたｐ型層と、ＧａＮを主成分としｎ型不純物をドープしたｎ型層で挟み込んだものが好適に用いられる。所謂、窒化物半導体レーザが好適に用いられる。
【００２９】
２３はレーザ部２２ｂの上に接着などの手法によって直接取り付けられたプリズムで、レーザダイオードから出射されたレーザ光２４を透過させて光ディスク１への照射光とするとともに、光ディスク１からの戻り光を受光素子２２ａに導くプリズムである。プリズム２３には、レーザ光２４をモニターするための高分子膜が設けられ、前光モニター２２ｃへレーザ光２４の一部を反射してレーザ光２４の出力レベルをモニタリングできる構成になっている。また、受光素子２２ａ側に導いた位置に、更に波長略４０５ｎｍのレーザ光２４を分割する回折格子（図示せず）が設けられ、フォーカス検出、トラッキング検出、球面収差検出、光ディスク１上に記録された信号等の検出及び制御用信号を取り出せるようになっている。
【００３０】
受光素子２２ａは、受光素子をカバーし、表面に透明なガラス基板で覆うように構成されている。しかもケースからは、受光素子と電気的に接続するための端子がケース表面に導出されている。他に受光素子を波長４０５ｎｍ（青〜青紫の光）で劣化しない透明な部材で覆われた状態の受光素子２２ａでも可能であることは明白である。
【００３１】
２５は赤及び赤外色のレーザ部２５ｂ及び受光素子２５ａ、及び前光モニター２５ｃを備えた光集積素子（ＣＤ／ＤＶＤ用）である。レーザ部２５ｂには、波長略６６０ｎｍのレーザ光を出射するレーザダイオードと、波長略７８０ｎｍのレーザ光を出射するレーザダイオードを有しており、これらのレーザダイオードは、レーザ部２５ｂの空間内に配置されている。
【００３２】
尚、本実施の形態では、レーザダイオードそれぞれ別の発光体ブロックとして、それぞれ空間内に配置したが、一つの発光体ブロックに、複数の発光層を設け、一つの発光体ブロックを空間内に配置する構成でも良い。また、本実施の形態では、２つの異なる波長の
レーザダイオードを搭載したが、３つ以上の異なる波長のレーザダイオードを空間内に設けた構成としても良い。
【００３３】
２６はレーザ光２７を透過し、戻り光を受光素子２５ａに導くプリズムである。プリズム２６には高分子膜が設けられ、前光モニター２５ｃへレーザ光２７の一部を反射してレーザ光２７の出力レベルをモニタリングできる構成になっている。また、受光素子２５ａ側に導いた位置に、更に波長７８０ｎｍのレーザ光を分割する回折格子（図示せず）が設けられ、フォーカス検出、トラッキング検出、光ディスク１上に記録された信号及び制御信号等の検出ができるようになっている。プリズム２６には互いに略平行で傾斜した傾斜面が設けられており、この傾斜面にはビームスプリッタ膜やホログラムなどの光学素子が配設されている。
【００３４】
２５ｂに内包される２つのレーザダイオードのうち、いずれか一方から出射された光は、プリズム２６を通過して光ディスク１に導かれ、光ディスク１で反射した反射光は、プリズム２６を通過して受光素子２５ａに導かれる。この時、プリズム２６において光ディスク１からの反射光は、プリズム内の２つの傾斜面間で反射されて、受光素子２５ａに入射される。
【００３５】
２８は波長４０５ｎｍ用のコリメートレンズで、光集積素子（短波長対応光ディスク用）２２から出力された発散したレーザ光２４を略平行光にするために使用される。またコリメートレンズ２８は、波長変動及び温度変化等の影響により発生する色収差を補正する機能も有している。３０はビーム整形プリズムで、レーザ光２４の強度分布を略円形状に補正する。３１は収差補正ミラーで光ディスク１の厚み誤差等により発生する球面収差を補正するために使用される。
【００３６】
次に３２はビームスプリッターで、光集積素子（短波長対応光ディスク用）２２及び光集積素子（ＣＤ／ＤＶＤ用）２５から発光されたレーザ光２４及びレーザ光２７を分離及び結合し、レーザ光２４に対しては位相も揃えた構成となっている。
【００３７】
３３は凸レンズで、レーザ光２４、及びレーザ光２７は、凸レンズ３３を透過後、立上げプリズム（図示せず）を透過し、対物レンズ８から光ディスク１へ射出される。対物レンズ８は、波長３９０ｎｍ〜４３０ｎｍ（本実施の形態では４０５ｎｍ）（短波長対応光ディスク）、波長６００ｎｍ〜７００ｎｍ（本実施の形態では６６０ｎｍ）（ＤＶＤ）、波長７５０ｎｍ〜８００ｎｍ（本実施の形態では７８０ｎｍ）（ＣＤ）に対応した光ディスク用の対物レンズである。本実施の形態では、１つで３波長に対応する対物レンズ８を例として説明しているが、光学設計を容易にするために、波長別に２つ以上に分けて構成することも考えられる。例えば、従来のＤＶＤドライブで用いられるような対物レンズで波長６６０ｎｍ（ＤＶＤ）、波長７８０ｎｍ（ＣＤ）を共用し、高ＮＡが求められる短波長対応光ディスクに対して、専用の対物レンズを用い、２つの対物レンズをひとつのアクチュエータで駆動することなども考えられる。
【００３８】
図７には光ピックアップ１４の対物レンズ８を光ディスク１への垂直方向Ｃと径方向Ｄへ動かす光ピックアップアクチュエータ１９を示す。図７においてフォーカスアクチュエータ３４は、略リング状に巻線されており、トラッキングアクチュエータ３５も同様にそれぞれ略リング状に巻線されている。これらフォーカスアクチュエータ３４やトラッキングアクチュエータ３５は、対物レンズ保持部材３６に接着剤などで固定されている。磁気ヨーク３７は、フォーカスマグネット３８ａとトラッキングマグネット３８ｂと磁気回路を形成する。バネ基板３９はそれぞれ導電性を有するサスペンションワイヤ４０から電力を供給され、また対物レンズ保持部材３６と接合するための中継基板として用いられている。サスペンションワイヤ４０の一端は、バネ基板３９に半田等で接合され、フォーカス
アクチュエータ３４、トラッキングアクチュエータ３５もバネ基板３９に半田付け等でサスペンションワイヤ４０に固定される。さらにバネ基板３９は対物レンズ保持部材３６に対して接着剤等で固定される。サスペンションワイヤ４０は、フォーカスアクチュエータ３４と直列に接続されたトラッキングアクチュエータ３５に対して電力を供給できるように少なくとも６本の丸ワイヤ、もしくは板バネ等で構成されている。以上、本実施の形態に係る光ディスク装置１１の主な構成を説明した。
【００３９】
次に、図８は本発明の一実施の形態に係る光ディスク装置の構成を示すブロック図である。同図に示すように、この光ディスク装置は、ホストＰＣ４１に接続されており、光ピックアップ１４と、トラバースモータ１５と、スピンドルモータ１６と、サーボ回路、ＣＤ／ＤＶＤデコーダ・エンコーダ、ＣＰＵ、ストラテジ回路、ＰＬＬ（Phase Locked Loop）回路、バッファメモリなどを内蔵するＯＤＣ（Optical Disk Controller）４２と、ＲＦ（Radio Frequency）アンプ、レーザパワー制御回路などを内蔵するＦＥＰ（Front End
Processor）４３と、レーザドライバ４４と、トラバース、スピンドルモータ用のモータドライバ４５とを備えている。
【００４０】
スピンドルモータ１６は、データを記録する対象となる光ディスク１を保持、回転駆動するモータであり、サーボ回路によりその回転数が制御される。光ピックアップ１４は、スピンドルモータ１６によって回転させられる光ディスク１に対してレーザ光を照射するユニットである。図７に示すような光ピックアップアクチュエータ１９において、対物レンズ８は、フォーカスアクチュエータ３４およびトラッキングアクチュエータ３５に保持されて、対向する光ディスク１に対して、光ディスク面に対して垂直方向Ｃおよび光ディスク１の径方向Ｄに移動可能になっている。フォーカスアクチュエータ３４およびトラッキングアクチュエータ３５の各々は、サーボ回路から供給されるフォーカスエラー信号およびトラッキングエラー信号に応じて対物レンズ８を光ディスク１に対して垂直方向Ｃおよび径方向Ｄに移動させる。なおサーボ回路は、レーザ照射時の光ディスク１からの反射光から得られる受光信号に基づいてフォーカスエラー信号およびトラッキングエラー信号を生成し、上記のように対物レンズ８を移動させることでフォーカス制御およびトラッキング制御を行う。
【００４１】
ＲＦアンプ（図６参照）は、光ピックアップ１４から供給されたＲＦ信号を増幅し、増幅後のＲＦ信号をサーボ回路およびデコーダを内蔵するＯＤＣ４２にＲＦ信号を出力する。ＣＤ／ＤＶＤデコーダは、再生時にはＲＦアンプから供給されるＲＦ信号をＥＦＭ復調して再生データを生成する。バッファメモリは、ホストＰＣ４１から供給される、光ディスク１の記録面に記録すべき情報（以下、情報記録データという）および光ディスク１のラベル面に形成すべき可視画像に対応した情報（以下、可視画像データ）を蓄積する。そして、バッファメモリに蓄積された情報記録データをエンコーダに出力し、可視画像データは制御部に出力される。エンコーダは、バッファメモリから供給される記録データを変調し、ストラテジ回路に出力、エンコーダから供給された信号に対して時間軸補正処理等を行い、レーザドライバ４４に出力する。レーザドライバ４４は、ストラテジ回路から供給される記録データに応じて変調された信号と、ＬＰＣ回路の制御にしたがって光ピックアップ１４のレーザダイオードを駆動する。ＦＥＰ４３に内蔵されるＬＰＣ回路は、光ピックアップ１４のレーザダイオードから照射されるレーザパワーを制御するものである。具体的には、ＬＰＣ回路は、ＯＤＣ４２から指示される最適なレーザパワーの目標値と一致する値のレーザ光が光ピックアップ１４から照射されるようにレーザドライバ４４を制御する。ＯＤＣ４２に内蔵されるバッファメモリには、ホストＰＣ４１から供給される可視画像データがＣＰＵを介して順次蓄積される。ホストＰＣ４１において、一般的に使用されるビットマップ形式等で光ディスク１のラベル面に形成する可視画像データを作成した場合には、ビットマップデータを極座標形式のデータに変換し、変換後の画像データをホストＰＣ４１から光ディスク装置１１に送信することになる。
【００４２】
上記のように供給される可視画像データに基づいて、光ディスク１のラベル面に対して可視画像を形成する際、レーザパワーは、ラベル層６が変色して記録するハイレベルと光ディスク１のラベル層６に照射した際でも該感光・感熱面がほとんど変化しないローレベルとを有し、常に反射光などをモニターすることで、光ピックアップ１４の位置制御をすることもできる。ここで反射光を利用せず光ピックアップ１４の位置制御する方法も考えられるので、ローレベルのモードを廃止することも考えられる。
【００４３】
トラバースモータ１５は、光ピックアップ１４を光ディスク１の径方向Ｄに移動させるためのモータである。モータドライバ４５は、ＯＤＣ４２から供給される信号に応じた量だけトラバースモータ１５を駆動する。ＯＤＣ４２は、指示される光ピックアップ１４を径方向への移動方向および移動量を含む移動開始指示にしたがって、移動量や移動方向に応じたパルス信号を生成し、モータドライバ４５に出力する。トラバースモータ１５が光ピックアップ１４を光ディスク１の径方向に移動させること、および光ディスク１をスピンドルモータ１６が回転させることにより、光ピックアップ１４のレーザ光照射位置を光ディスク１の様々な位置に移動させることができ、これらの構成要素が照射位置調整手段を構成している。
【００４４】
ＯＤＣはその他にＣＰＵ（Central Processing Unit）、およびＲＡＭ（Random Access
Memory）等から構成されており、ＲＯＭに格納されたプログラムにしたがって当該光ディスク装置の装置各部を制御し、光ディスク１の記録面に対するデータ記録処理および光ディスク１の感熱面に対する可視画像形成処理を中枢的に制御するように構成されている。
【００４５】
次に、上記構成の光ディスク装置の動作について説明する。上述したようにこの光ディスク装置は、光ディスク１のデータ記録面に対してホストＰＣ４１から供給された音楽・映像やＰＣ用のデータ等の情報を記録することが可能であるとともに、光ディスク１のラベル層６に対してホストＰＣ４１から供給される画像データに対応した可視画像を形成することができるように構成されている。
【００４６】
以下、情報記録および可視画像形成といった処理を行うことが可能な光ディスク装置の動作について図９を用いて説明する。
【００４７】
まず、当該光ディスク装置に光ディスク１がセットされると、光ピックアップ１４を制御し、セットされた光ディスク１の光ピックアップ１４と対向する面がデータ記録面かラベル面かを判断する。この際の判断基準として、ラベル面にユニークな識別マークなどを設けることも考えられるし、単純にＣＤやＤＶＤ、短波長対応光ディスクなどの既存規格の判別基準を利用してデータ記録面かラベル面かを判断する方法も考えられる。いずれの場合にしても、データ記録面が光ピックアップ１４と対向している状態であれば、セットされている光ディスク１の規格に合わせて従来の記録型光ディスク装置と同じような方法でスピンドルモータ１６やトラバースモータ１５を用いて光ディスク１や光ピックアップ１４を駆動制御することになる。その際、各光ディスク規格に合わせた波長のレーザダイオードを発光することになる。すなわち、ＣＤディスクであれば、７８０ｎｍのレーザ光、ＤＶＤであれば、６５０ｎｍのレーザ光、短波長対応光ディスクであれば、４０５ｎｍのレーザ光が、それぞれのレーザダイオードから射出され、対物レンズ８を通して、光ディスク１のデータ記録面に合焦点される（図３参照）。
【００４８】
一方、ラベル面が光ピックアップ１４に対向してセットされた場合は、どの規格の光ディスクであっても波長４０５ｎｍのレーザダイオードを発光、ラベル層６に合焦点させることになる。本実施の形態に示す光ディスク１のラベル層６は、どの規格の光ディスクで
あってもラベル面側の表層近傍（概ね０.１ｍｍの深さ）に配置されている。波長４０５ｎｍを使う短波長対応光ディスク規格は、光ディスク１の表層近傍（概ね０.１ｍｍの深さ）にデータ記録層４を配置しているため、このシステム（光ピックアップアクチュエータ１９）は、ほぼそのままラベル記録用システムとして活用することができる。図９に示すように従来のアクチュエータを駆動させながら、ラベル記録を実施できる。もし、短波長対応光ディスクのように表層に合焦点するようなシステムが用意されていなければ、上記データ記録面４の時と比べて、光ピックアップ１４に搭載されている対物レンズ８とこれに対向する光ディスク１のラベル層６との距離が大きく異なる。光ピックアップ１４の対物レンズ８は、対物レンズ保持部材３６等の自重のバランスを考慮して、概ねデータ記録層４にレーザビームの焦点が合うように設計されており、ラベル層６に可視画像を書き込む際に光ディスク１を表裏反対にして光ディスク装置にセットするということは上記焦点位置がオフセットすることになる。それゆえ上記認識後は、以下のような方法にて自動的に光ピックアップ１４の位置や対物レンズ８の位置を光ディスク１に合わせて調整する必要があり、光ピックアップアクチュエータ１９に大幅な設計変更が必要となる。特に実施の形態に示すような厚みの薄い光ディスク装置１１では、設計的に破綻する場合もあった。
【産業上の利用可能性】
【００４９】
本発明は、パーソナルコンピュータ等の据え置き型電子機器やノートブックパソコン、携帯型情報端末機器、携帯型映像装置等の携帯型電子機器や映像録画用のレコーダーに好適に用いられ、可視画像を形成可能な光ディスクなどに適応可能である。
【図面の簡単な説明】
【００５０】
【図１】従来例の光ディスクラベル印字機能付きプリンタ装置概観図
【図２】従来例の光ディスクデータ記録面にラベルを記録した光ディスク概観図
【図３】本発明の一実施の形態における光ディスク概観図及び部分断面図
【図４】本発明の一実施の形態における各種規格における光ディスク略断面図
【図５】本発明の一実施の形態における光ディスク装置概観図
【図６】本発明の一実施の形態における光ピックアップの概略平面図
【図７】本発明の一実施の形態における光ピックアップのアクチュエータ部概観図
【図８】本発明の一実施の形態における光ディスク装置のブロック図
【図９】本発明の一実施の形態における光ディスク装置の断面図
【符号の説明】
【００５１】
１    光ディスク
２    基板
３    グルーブ（案内溝）
４    データ記録層
５    放熱層
６    ラベル層
７    ラベル面カバー層
８    対物レンズ
１１    光ディスク装置
１２    トレイ
１３    光ピックアップモジュール
１４    光ピックアップ
１５    トラバースモータ
１６    スピンドルモータ
１７    チャッキング部
１８    キャリッジ
１９    光ピックアップアクチュエータ
２０    支持シャフト
２１    ガイドシャフト
２２    光集積素子（短波長対応光ディスク用）
２３    プリズム
２４    レーザ光
２５    光集積素子（ＣＤ／ＤＶＤ用）
２６    プリズム
２７    レーザ光
２８    コリメートレンズ
２９    コリメートレンズ
３０    ビーム整形プリズム
３１    収差補正ミラー
３２    ビームスプリッター
３３    凸レンズ
３４    フォーカスアクチュエータ
３５    トラッキングアクチュエータ
３６    対物レンズ保持部材
３７    磁気ヨーク
３８ａ    フォーカシングマグネット
３８ｂ    トラッキングマグネット
３９    バネ基板
４０    サスペンションワイヤ
４１    ホストＰＣ
４２    ＯＤＣ
４３    ＦＥＰ
４４    レーザドライバ
４５    モータドライバ
【図１】
2006059432.tif 000003
【図２】
2006059432.tif 000004
【図３】
2006059432.tif 000005
【図４】
2006059432.tif 000006
【図５】
2006059432.tif 000007
【図６】
2006059432.tif 000008
【図７】
2006059432.tif 000009
【図８】
2006059432.tif 000010
【図９】
2006059432.tif 000011